(57)【特許請求の範囲】
【請求項１】
端末において指定された検索条件に基づき検索された複数の商品に関する情報を取得する取得手段と、
前記取得手段により取得された情報に基づいて、前記検索された商品を表す商品オブジェクトを前記端末に表示させる表示制御手段であって、
前記商品オブジェクトは商品の提供者ごとに同じ大きさで設けられた表示欄に所定数を上限として提供者ごとに表示され、
前記検索された商品のうち一の提供者により提供された商品の数が前記所定数を超える場合に、検索された前記一の提供者の商品の数が前記所定数を超えることを示すオブジェクトを前記所定数の商品オブジェクトと併せて当該一の提供者の表示欄に表示させ、当該一の提供者により提供された商品の範囲内で検索された商品の一覧を表した商品一覧ページへのリンクを前記一の提供者の表示欄の少なくとも一部に関連付け、
前記検索された商品のうち一の提供者により提供された商品の数が前記所定数以下の場合に、各商品に関する商品情報が表された商品ページへのリンクが関連付けられた各商品オブジェクトを当該一の提供者の表示欄に表示させ、該表示欄に含まれるオブジェクトであって前記商品オブジェクト以外のオブジェクトに対して前記商品一覧ページへのリンクを関連付けない、
表示制御手段と、
前記検索された商品のうち一の提供者により提供された複数の商品の数が前記所定数を超える場合に、所定操作により前記複数の商品の全ての商品オブジェクトが前記端末において閲覧されたことを検出する検出手段と、を備え、
前記表示制御手段は、前記検出手段により前記複数の商品の全ての商品オブジェクトが閲覧されたことが検出された場合に、前記商品一覧ページへのリンクを前記一の提供者の表示欄に関連付けることに代えて、前記商品ページへのリンクを、前記表示欄に表示された各商品オブジェクトに関連付ける、
表示制御装置。
【請求項２】
前記端末において前記商品オブジェクトに対する選択操作がされたことを示す操作情報を取得し、該操作情報の取得回数を商品毎に集計する操作情報取得手段と、
前記商品オブジェクトに対する選択操作を経て該商品オブジェクトにより表される商品が購入された回数である第１の購入回数を取得する購入回数取得手段と、を更に備え、
前記表示制御手段は、前記操作情報の取得回数に対する前記第１の購入回数の割合が所定の割合以上である商品の商品オブジェクトを、該商品の前記商品ページへのリンクを関連付けて表示させる、
請求項１に記載の表示制御装置。
【請求項３】
前記表示制御手段は、前記操作情報の取得回数に対する前記第１の購入回数の割合が大きいものから降順に並べて、前記所定数の前記商品オブジェクトを前記表示欄に表示させる、
請求項２に記載の表示制御装置。
【請求項４】
前記購入回数取得手段は、前記商品一覧ページに対する閲覧を経て商品が購入された回数である第２の購入回数を商品毎に集計し、
商品オブジェクトが前記表示欄に表示されていない非表示商品のうち、前記第２の購入回数が、前記表示欄に商品オブジェクトが表示された商品より多い非表示商品がある場合に、当該非表示商品に関する情報を、該非表示商品の提供者の端末に通知する通知手段を更に備える、
請求項３に記載の表示制御装置。
【請求項５】
表示制御装置における表示制御方法であって、
端末において指定された検索条件に基づき検索された複数の商品に関する情報を取得する取得ステップと、
前記取得ステップにおいて取得された情報に基づいて、前記検索された商品を表す商品オブジェクトを前記端末に表示させる表示制御手段であって、
前記商品オブジェクトは商品の提供者ごとに同じ大きさで設けられた表示欄に所定数を上限として提供者ごとに表示され、前記検索された商品のうち一の提供者により提供された商品の数が前記所定数を超える場合に、検索された前記一の提供者の商品の数が前記所定数を超えることを示すオブジェクトを前記所定数の商品オブジェクトと併せて当該一の提供者の表示欄に表示させ、当該一の提供者により提供された商品の範囲内で検索された商品の一覧を表した商品一覧ページへのリンクを前記一の提供者の表示欄の少なくとも一部に関連付け、
前記検索された商品のうち一の提供者により提供された商品の数が前記所定数以下の場合に、各商品に関する商品情報が表された商品ページへのリンクが関連付けられた各商品オブジェクトを当該一の提供者の表示欄に表示させ、該表示欄に含まれるオブジェクトであって前記商品オブジェクト以外のオブジェクトに対して前記商品一覧ページへのリンクを関連付けない、
表示制御ステップと、
前記検索された商品のうち一の提供者により提供された複数の商品の数が前記所定数を超える場合に、所定操作により前記複数の商品の全ての商品オブジェクトが前記端末において閲覧されたことを検出する検出ステップと、
前記検出ステップにおいて前記複数の商品の全ての商品オブジェクトが閲覧されたことが検出された場合に、前記商品一覧ページへのリンクを前記一の提供者の表示欄に関連付けることに代えて、前記商品ページへのリンクを、前記表示欄に表示された各商品オブジェクトに関連付けるステップと、
を有する表示制御方法。
【請求項６】
コンピュータに、
ユーザにより指定された検索条件を表示制御装置に送信する指定機能と、
前記検索条件に基づき前記表示制御装置において検索された商品に関する情報を受信する受信機能と、
前記受信機能により受信された情報に基づいて、前記検索された商品を表す商品オブジェクトを表示手段に表示させる表示機能であって、
前記商品オブジェクトは商品の提供者ごとに同じ大きさで設けられた表示欄に所定数を上限として提供者ごとに表示され、
前記検索された商品のうち一の提供者により提供された商品の数が前記所定数以下の場合に、商品に関する商品情報が表された商品ページへのリンクが関連付けられた商品オブジェクトを表示させ、
前記検索された商品のうち一の提供者により提供された商品の数が前記所定数を超える場合に、検索された前記一の提供者の商品の数が前記所定数を超えることを示すオブジェクトを前記所定数の商品オブジェクトと併せて当該一の提供者の表示欄に表示させ、検索対象範囲を当該一の提供者により提供された商品として検索された商品の一覧を表した商品一覧ページへのリンクを前記一の提供者の表示欄の少なくとも一部に関連付ける、表示機能と、
前記検索された商品のうち一の提供者により提供された複数の商品の数が前記所定数を超える場合に、所定操作により前記複数の商品の全ての商品オブジェクトが閲覧されたことを検出する検出機能と、を実現させ、
前記表示機能は、前記検出機能により前記複数の商品の全ての商品オブジェクトが閲覧されたことが検出された場合に、前記商品一覧ページへのリンクを前記一の提供者の表示欄に関連付けることに代えて、前記商品ページへのリンクを、前記表示欄に表示された各商品オブジェクトに関連付ける、
表示制御プログラム。
【発明の詳細な説明】
【技術分野】
【０００１】
本発明は、表示制御装置、表示制御方法及び表示制御プログラムに関する。
【背景技術】
【０００２】
従来より、電子商取引サイトでは、ユーザの端末において指定された検索条件に基づき商品を検索し、検索結果をユーザの端末に出力してユーザに提示することが行われている。例えば、特許文献１には、商品の検索結果を商品の提供者である店舗ごとに表示することが記載されている。
【先行技術文献】
【特許文献】
【０００３】
【特許文献１】特開２０１０−２０５０２３号公報
【発明の概要】
【発明が解決しようとする課題】
【０００４】
しかしながら、検索された商品の数が商品の提供者ごとに異なる場合には、提供者毎に商品を表示するに際して、表示欄の大きさに不均衡が生じる。また、その結果として、検索結果の表示画面における表示レイアウトも崩れることとなる。【０００５】
そこで本発明は、商品の提供者毎の表示欄に不均衡を生じさせることなく、商品の検索結果を表示させることを目的とする。
【課題を解決するための手段】
【０００６】
上記課題を解決するために、本発明の一形態に係る表示制御装置は、端末において指定された検索条件に基づき検索された複数の商品に関する情報を取得する取得手段と、取得手段により取得された情報に基づいて、検索された商品を表す商品オブジェクトを端末に表示させる表示制御手段であって、商品オブジェクトは商品の提供者ごとに同じ大きさで設けられた表示欄に所定数を上限として提供者ごとに表示され、検索された商品のうち一の提供者により提供された商品の数が所定数を超える場合に、検索された一の提供者の商品の数が所定数を超えることを示すオブジェクトを所定数の商品オブジェクトと併せて当該一の提供者の表示欄に表示させる、表示制御手段と、を備える。【０００７】
本発明の一形態に係る表示制御方法は、表示制御装置における表示制御方法であって、端末において指定された検索条件に基づき検索された複数の商品に関する情報を取得する取得ステップと、取得ステップにおいて取得された情報に基づいて、検索された商品を表す商品オブジェクトを端末に表示させる表示制御手段であって、商品オブジェクトは商品の提供者ごとに同じ大きさで設けられた表示欄に所定数を上限として提供者ごとに表示され、検索された商品のうち一の提供者により提供された商品の数が所定数を超える場合に、検索された一の提供者の商品の数が所定数を超えることを示すオブジェクトを所定数の商品オブジェクトと併せて当該一の提供者の表示欄に表示させる、表示制御ステップと、を有する。【０００８】
上記の形態によれば、検索された商品を表す商品オブジェクトが商品の提供者毎に同じ大きさで設けられた表示欄に所定数を上限として表示されるので、商品の提供者毎の表示欄に不均衡が生じることを防止できる。また、一の提供者の検索された商品の数が所定数を超える場合であっても、その旨が表示されるので、表示される商品オブジェクトの数を所定数に限ることとしても、当該一の提供者の検索された商品に関する情報が適切に示される。【０００９】
さらに別の形態に係る表示制御装置では、表示制御手段は、検索された商品のうち一の提供者により提供された商品の数が所定数を超える場合に、当該一の提供者により提供された商品の範囲内で検索された商品の一覧を表した商品一覧ページへのリンクを一の提供者の表示欄の少なくとも一部に関連付け、検索された商品のうち一の提供者により提供された商品の数が所定数以下の場合に、各商品に関する商品情報が表された商品ページへのリンクが関連付けられた各商品オブジェクトを当該一の提供者の表示欄に表示させ、表示欄に含まれるオブジェクトであって商品オブジェクト以外のオブジェクトに対して商品一覧ページへのリンクを関連付けないこととしてもよい。【００１０】
上記形態によれば、一の提供者により提供された商品の数が、表示欄に商品オブジェクトが表示される所定数を超える場合には、商品一覧ページへのリンクが表示欄に関連付けられるので、検索条件に該当する全ての商品をユーザに認識させることが可能となる。一方、一の提供者により提供された商品の数が、表示欄に商品オブジェクトが表示される所定数以下である場合には、商品一覧ページへのリンクが表示欄に関連付けられることなく、各商品ページへのリンクが各商品オブジェクトに関連付けられるので、商品一覧ページへの遷移を経由することなく、商品ページに速やかにアクセスすることが可能となる。【００１１】
さらに別の形態に係る表示制御装置では、端末において商品オブジェクトに対する選択操作がされたことを示す操作情報を取得し、該操作情報の取得回数を商品毎に集計する操作情報取得手段と、商品オブジェクトに対する選択操作を経て該商品オブジェクトにより表される商品が購入された回数である第１の購入回数を取得する購入回数取得手段と、を更に備え、表示制御手段は、操作情報の取得回数に対する第１の購入回数の割合が所定の割合以上である商品の商品オブジェクトを、該商品の商品ページへのリンクを関連付けて表示させることとしてもよい。【００１２】
商品オブジェクトに対する選択操作がされた回数に対する、選択操作を経て更にその商品オブジェクトに示される商品が購入された回数の割合が大きい商品は、購入される蓋然性が高い商品である。上記形態によれば、購入される蓋然性が高い商品の商品オブジェクトに商品ページへのリンクが直接に関連付けられるので、ユーザにその商品の商品ページに速やかにアクセスさせることが可能となる。【００１３】
さらに別の形態に係る表示制御装置では、表示制御手段は、操作情報の取得回数に対する第１の購入回数の割合が大きいものから降順に並べて、所定数の商品オブジェクトを表示欄に表示させることとしてもよい。【００１４】
上記形態によれば、購入される蓋然性が高い商品の商品オブジェクトが表示欄に表示されることとなるので、購入する蓋然性が高い商品がユーザに認識されやすくすることができる。【００１５】
さらに別の形態に係る表示制御装置では、購入回数取得手段は、商品一覧ページに対する閲覧を経て商品が購入された回数である第２の購入回数を商品毎に集計し、商品オブジェクトが表示欄に表示されていない非表示商品のうち、第２の購入回数が、表示欄に商品オブジェクトが表示された商品より多い非表示商品がある場合に、当該非表示商品に関する情報を、該非表示商品の提供者の端末に通知する通知手段を更に備えることとしてもよい。【００１６】
非表示商品であっても購入された回数が多い商品は、購入される蓋然性が高いにも関わらず、例えば当該商品をユーザに示すための商品画像等に問題がある等の理由により、商品オブジェクトが表示欄に表示されないような状況となっている可能性がある。上記形態によれば、非表示商品であっても購入された回数が多い商品の存在が提供者に通知されるので、提供者は、当該商品に関する何らかの対策を実施することが可能となる。【００１７】
さらに別の形態に係る表示制御装置では、検索された商品のうち一の提供者により提供された複数の商品の数が所定数を超える場合に、所定操作により複数の商品の全ての商品オブジェクトが端末において閲覧されたことを検出する検出手段を更に備え、表示制御手段は、検出手段により複数の商品の全ての商品オブジェクトが閲覧されたことが検出された場合に、商品一覧ページへのリンクを一の提供者の表示欄に関連付けることに代えて、商品ページへのリンクを、表示欄に表示された各商品オブジェクトに関連付けることとしてもよい。【００１８】
また、本発明の一形態に係る表示制御プログラムは、コンピュータに、ユーザにより指定された検索条件を表示制御装置に送信する指定機能と、検索条件に基づき表示制御装置において検索された商品に関する情報を受信する受信機能と、受信機能により受信された情報に基づいて、検索された商品を表す商品オブジェクトを表示手段に表示させる表示機能であって、商品オブジェクトは商品の提供者ごとに同じ大きさで設けられた表示欄に所定数を上限として提供者ごとに表示され、検索された商品のうち一の提供者により提供された商品の数が所定数以下の場合に、商品に関する商品情報が表された商品ページへのリンクが関連付けられた商品オブジェクトを表示させ、検索された商品のうち一の提供者により提供された商品の数が所定数を超える場合に、検索された一の提供者の商品の数が所定数を超えることを示すオブジェクトを所定数の商品オブジェクトと併せて当該一の提供者の表示欄に表示させ、検索対象範囲を当該一の提供者により提供された商品として検索された商品の一覧を表した商品一覧ページへのリンクを一の提供者の表示欄に内の少なくとも一部に関連付ける、表示機能と、検索された商品のうち一の提供者により提供された複数の商品の数が所定数を超える場合に、所定操作により複数の商品の全ての商品オブジェクトが閲覧されたことを検出する検出機能と、を実現させ、表示機能は、検出機能により複数の商品の全ての商品オブジェクトが閲覧されたことが検出された場合に、商品一覧ページへのリンクを一の提供者の表示欄に関連付けることに代えて、商品ページへのリンクを、表示欄に表示された各商品オブジェクトに関連付ける。【００１９】
また、さらに別の形態に係る表示制御装置では、上記表示制御プログラムをユーザの端末に送信する送信手段をさらに備えることとしてもよい。【００２０】
上記形態によれば、検索された一の提供者により提供された複数の商品の数が表示欄に表示可能な所定数を超える場合において、所定操作により複数の商品の全ての商品オブジェクトが端末において閲覧されたことが検出された場合には、ユーザが、検索された一の提供者の商品の全てを認識できたこととなる。かかる場合に、一の提供者の商品の商品オブジェクトに商品ページへのリンクが直接に関連付けられるので、ユーザにその商品の商品ページに速やかにアクセスさせることが可能となる。
【発明の効果】
【００２１】
本発明の一側面によれば、商品の提供者毎の表示欄に不均衡を生じさせることなく、商品の検索結果を表示させることが可能となる。
【図面の簡単な説明】
【００２２】
【図１】表示制御装置を含むシステムの構成を示す図である。
【図２】表示制御装置の機能構成を示すブロック図である。
【図３】表示制御装置のハードウェア構成を示す図である。
【図４】商品情報記憶部の構成及び記憶されているデータの例を示す図である。
【図５】表示制御部により端末に表示された表示画面の例を示す図である。
【図６】商品ページを模式的に示す図である。
【図７】商品一覧ページを模式的に示す図である。
【図８】集計情報記憶部の構成及び記憶されているデータの例を示す図である。
【図９】表示制御部により端末に表示された表示画面の例を示す図である。
【図１０】表示制御装置において実施される表示制御方法の処理内容を示すフローチャートである。
【図１１】他の実施形態に係る表示制御装置の機能的構成を示すブロック図である。
【図１２】表示制御プログラムの構成を示す図である。
【発明を実施するための形態】
【００２３】
以下、添付図面を参照しながら本発明の実施形態を詳細に説明する。なお、図面の説明において同一又は同等の要素には同一の符号を付し、重複する説明を省略する。
【００２４】
図１は、本実施形態に係る表示制御装置１を含むシステムの構成を示す図である。図１に示すように、表示制御装置１は、ユーザの端末ＴＵ及び店舗に備えられた端末ＴＭとネットワークＮを介して接続されている。
【００２５】
表示制御装置１は、例えば、ネットワークを介して販売する商品のユーザからの注文を受け付ける電子商取引サイトに構成される装置であって、販売する商品に関する情報をユーザの端末ＴＵに表示させる。表示制御装置１は、例えば、ユーザの端末ＴＵにおいて指定された検索条件に基づき商品の検索を行い、検索結果を端末ＴＵに表示させる。
【００２６】
端末ＴＵは、ユーザにより操作される装置であって、表示制御装置１に対して、ユーザにより指定された検索条件を含む商品検索の要求を送信し、その要求に応じて返信された検索結果を表示する。
【００２７】
端末ＴＭは、販売される商品の提供者である店舗の端末であって、表示制御装置１を含む電子商取引サイトに対して、販売する商品の情報の登録を行ったり、電子商取引サイトにおいて受け付けられた商品の注文に関する情報を取得したりする。
【００２８】
端末ＴＵ，ＴＭを構成する装置は限定されず、例えば据置型又は携帯型のパーソナルコンピュータでもよいし、高機能携帯電話機（スマートフォン）や携帯電話機、携帯情報端末（ＰＤＡ）などの携帯端末でもよい。なお、図１では、端末ＴＵ及び端末ＴＭは各１台ずつ示されているが、端末ＴＵ及び端末ＴＭの数はこれに限定されない。
【００２９】
図２は、本実施形態に係る表示制御装置１の機能的構成を示すブロック図である。図２に示すように、表示制御装置１は、機能的には、取得部１１（取得手段）、表示制御部１２（表示制御手段）、操作情報取得部１３（操作情報取得手段）、購入回数取得部１４（購入回数取得手段）、通知部１５（通知手段）及び検出部１６（検出手段）を備える。また、表示制御装置１は、商品情報記憶部２１及び集計情報記憶部２２といった記憶手段にアクセス可能である。なお、本実施形態では、表示制御装置１は、上記した機能部１１〜１６を備えることとしているが、操作情報取得部１３、購入回数取得部１４、通知部１５及び検出部１６は、必須の構成ではない。
【００３０】
図３は、表示制御装置１のハードウェア構成図である。表示制御装置１は、物理的には、図３に示すように、ＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４などを含むコンピュータシステムとして構成されている。表示制御装置１は、入力デバイスであるキーボード、マウス等の入力装置１０５及びディスプレイ等の出力装置１０６をさらに含むこととしてもよい。
【００３１】
図２に示した各機能は、図３に示すＣＰＵ１０１、主記憶装置１０２等のハードウェア上に所定のコンピュータソフトウェアを読み込ませることにより、ＣＰＵ１０１の制御のもとで通信制御装置１０４等を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００３２】
再び図２を参照して、表示制御装置１の各機能部について説明する。取得部１１は、端末ＴＵにおいて指定された検索条件に基づき検索された複数の商品に関する情報を取得する部分である。本実施形態では、取得部１１は、端末ＴＵから検索条件を取得し、商品情報記憶部２１を参照して、検索条件に基づく商品の検索を行う。
【００３３】
商品情報記憶部２１は、表示制御装置１が構成される電子商取引サイトにおいて販売される商品に関する情報を記憶している記憶手段である。図４は、商品情報記憶部２１の構成及び記憶されているデータの例を示す図である。商品情報記憶部２１は、商品を識別する商品ＩＤに対応付けて、当該商品に関する情報を記憶している。具体的には、商品情報記憶部２１は、商品名、店舗ＩＤ，種々の属性及び商品画像等を当該商品に関する情報として記憶している。商品名は、商品の名称である。店舗ＩＤは、当該商品を販売する店舗を識別する情報である。属性は、当該商品の特徴等を示す情報である。商品画像は、例えば、当該商品を表した画像データのファイル名等であって、画像データは、当該商品を表す商品オブジェクトやサムネイル画像を表示するためのデータである。例えば、商品ＩＤ「Ｉ１１」には、商品名「Ｉｔｅｍ１１」、店舗ＩＤ「ＭＡ」、・・・、商品画像「Ｄ１１」等の情報が商品に関する情報として対応付けられている。店舗ＩＤ「ＭＡ」は、店舗Ａを識別する情報である。また、商品ＩＤ「Ｉ２１」には、商品名「Ｉｔｅｍ２１」、店舗ＩＤ「ＭＢ」、・・・、商品画像「Ｄ２１」等の情報が商品に関する情報として対応付けられている。店舗ＩＤ「ＭＢ」は、店舗Ｂを識別する情報である。
【００３４】
取得部１１は、検索条件に該当する商品を検索し、検索された商品に関する情報を取得する。なお、本実施形態では、取得部１１が商品の検索を行うこととしているが、表示制御装置１以外の他の装置により検索された商品の情報を当該他の装置から取得することとしてもよい。
【００３５】
表示制御部１２は、取得部１１により取得された情報に基づいて、検索された商品を表す商品オブジェクトを端末ＴＵに表示させる部分である。図５は、表示制御部１２により端末ＴＵに表示された表示画面の例である画面例Ｒ１を示す図である。なお、図５に示す例では、取得部１１により、検索条件に該当する商品として、商品ＩＤ「Ｉ１１」、「Ｉ１２」、「Ｉ２１」〜「Ｉ２９」により識別される商品に関する情報が取得されたものとする。
【００３６】
表示制御部１２は、店舗ごとに同じ大きさで設けられた表示欄に、所定数を上限として店舗ごとに商品オブジェクトを表示させる。具体的には、図５に示すように、表示制御部１２は、店舗Ａ及び店舗Ｂのそれぞれに対して同じ大きさで設けられた表示欄ＣＡ及び表示欄ＣＢを端末ＴＵに表示させる。ここで、表示欄が同じ大きさであることとは、複数の表示欄を見たユーザが同程度の大きさであると認識するような大きさであって、表示欄同士の大きさに微差が含まれることを排除しない。
【００３７】
なお、表示制御部１２は、店舗ごとに商品オブジェクトを表示させるために、商品オブジェクトを表示させる処理に先立って、商品に関する情報を店舗ごとに分類する処理を実施することができる。また、商品に関する情報を店舗ごとに分類する処理は、取得部１１により実施されることとしてもよい。
【００３８】
本実施形態では、表示させる商品オブジェクトの上限の数を３とすると、表示制御部１２は、取得部１１により取得された店舗Ａの２つの商品（商品ＩＤ「Ｉ１１」、「Ｉ１２」）の商品オブジェクトＯ１１，Ｏ１２を表示欄ＣＡに表示させる。また、表示制御部１２は、取得部１１により取得された店舗Ｂの９つの商品（商品ＩＤ「Ｉ２１」〜「Ｉ２９」）のうちの、３つの商品（商品ＩＤ「Ｉ２１」、「Ｉ２２」、「Ｉ２３」）の商品オブジェクトＯ２１，Ｏ２２，Ｏ２３を表示欄ＣＢに表示させる。商品オブジェクトは、商品を表すオブジェクトであって、例えば、当該商品のサムネイル画像、商品名の文字列、商品を表すアイコン等である。
【００３９】
また、表示制御部１２は、検索された商品のうち一の店舗により提供された商品の数が所定数を超える場合に、検索された一の店舗の商品の数が所定数を超えることを示すオブジェクトを所定数の商品オブジェクトと併せて当該店舗の表示欄に表示させる。具体的には、図５に示すように、取得部１１により取得された店舗Ｂの商品の数は９であって、表示欄ＣＢに表示させる商品オブジェクトの上限の数である３を超えるので、表示制御部１２は、表示欄ＣＢに表示されている３つの商品オブジェクトＯ２１，Ｏ２２，Ｏ２３に示される商品以外に、検索された店舗Ｂの商品が存在することを示すオブジェクトＯＸを表示欄ＣＢに表示させる。
【００４０】
また、表示制御部１２は、検索された商品のうち一の店舗により提供された商品の数が所定数以下の場合に、商品に関する商品情報が表された商品ページへのリンクが関連付けられた商品オブジェクトを表示させる。具体的には、取得部１１により取得された店舗Ａの商品の数が所定数３以下である２であるので、表示制御部１２は、商品ＩＤ「Ｉ１１」，「Ｉ１２」の商品のそれぞれに関する商品情報が表された商品ページへのリンクがそれぞれ関連付けられた商品オブジェクトＯ１１，Ｏ１２を表示欄ＣＡに表示させる。
【００４１】
図６は、商品ＩＤ「Ｉ１１」の商品の商品ページＲ２を模式的に示す図である。図６に示すように、商品ページＲ２は、商品画像Ｄ１１を含む、商品ＩＤ「Ｉ１１」の商品に関する商品情報を示している。即ち、表示された画面例Ｒ１において商品オブジェクトＯ１１に対する選択操作（例えば、クリック操作）が端末ＴＵにおいて行われると、図６に示す商品ページＲ２が表示される。このように、商品ページへのリンクが商品オブジェクトに関連付けられることにより、ユーザが商品ページに速やかにアクセスすることが可能となる。
【００４２】
また、表示制御部１２は、検索された商品のうち一の店舗により提供された商品の数が所定数を超える場合に、検索対象範囲を当該一の店舗により提供された商品として検索された商品の一覧を表した商品一覧ページへのリンクを一の店舗の表示欄の少なくとも一部に関連付ける。具体的には、取得部１１により取得された店舗Ｂの商品の数が所定数３を超える９であるので、表示制御部１２は、店舗Ｂの商品に検索対象範囲を限定して検索された商品（商品ＩＤ「Ｉ２１」〜「Ｉ２９」）の一覧を表した商品一覧ページへのリンクを、表示欄ＣＢの少なくとも一部に関連付ける。
【００４３】
図７は、店舗Ｂの商品に検索対象範囲を限定して検索された商品（商品ＩＤ「Ｉ２１」〜「Ｉ２９」）の一覧を表した商品一覧ページＲ３を模式的に示す図である。図７に示すように、商品一覧ページＲ３には、商品（商品ＩＤ「Ｉ２１」〜「Ｉ２９」）の一覧が表されている。
【００４４】
商品一覧ページＲ３へのリンクは、例えば、商品オブジェクトＯ２１，Ｏ２２，Ｏ２３が表示された領域に関連付けられる。また、商品一覧ページＲ３へのリンクは、表示欄ＣＢが表示された領域のうちの、オブジェクトＯＸが表示された領域以外の領域に関連付けられることとしてもよい。即ち、画面例Ｒ１において、表示欄ＣＢが表示された領域のうちのリンクが関連付けられた領域に対する選択操作が端末ＴＵにおいて行われると、図７に示す商品一覧ページＲ３が表示される。このように、商品一覧ページへのリンクが表示欄の少なくとも一部に関連付けられることにより、当該表示欄の店舗の商品のうちの検索条件に該当する全ての商品をユーザに認識させることが可能となる。
【００４５】
一方、表示制御部１２は、検索された商品のうち一の店舗により提供された商品の数が所定数以下の場合には、当該店舗の表示欄に含まれる商品オブジェクト以外のオブジェクトに対して、商品一覧ページへのリンクを関連付けない。具体的には、図５に示すように、表示制御部１２は、表示欄ＣＡに含まれるオブジェクトであって商品オブジェクトＯ１１，Ｏ１２以外のオブジェクトに対して、店舗Ａの商品の範囲内で検索された商品の一覧を表した商品一覧ページへのリンクを関連付けない。これにより、店舗Ａの商品に関しては、表示欄ＣＡに対する操作により商品一覧ページへの遷移を経由することなく、各商品の商品ページへ直接に遷移するので、ユーザが商品ページに速やかにアクセスすることが可能となる。
【００４６】
再び図２を参照して、操作情報取得部１３は、端末ＴＵにおいて商品オブジェクトに対する選択操作がされたことを示す操作情報を取得し、操作情報の取得回数を商品毎に集計する部分である。具体的には、操作情報取得部１３は、例えば図５に示す画面例Ｒ１が表示された端末ＴＵにおいて、商品オブジェクトに対する選択操作（例えば、クリック操作）が行われると、操作情報取得部１３は、選択操作がされたことを示す操作情報を取得する。そして、操作情報取得部１３は、操作情報の取得回数を商品ごとに集計して集計情報記憶部２２に記憶させる。
【００４７】
図８は、集計情報記憶部２２の構成及び記憶されているデータの例を示す図である。図８に示すように、集計情報記憶部２２は、商品ＩＤに対応付けて操作情報取得回数を記憶している。例えば、商品ＩＤ「Ｉ２１」の商品を表す商品オブジェクトＯ２１が選択操作された回数である操作情報取得回数は１０回である。
【００４８】
購入回数取得部１４は、商品オブジェクトに対する選択操作を経て、その商品オブジェクトにより表される商品が購入された回数である第１の購入回数を取得する部分である。具体的には、購入回数取得部１４は、例えば図５に示す画面例Ｒ１が表示された端末ＴＵにおいて、商品オブジェクトＯ２１に対する選択操作（例えば、クリック操作）が行われ、引き続いて、表示制御装置１が構成される電子商取引サイトにおいて商品ＩＤ「Ｉ２１」の商品が購入された回数を第１の購入回数として取得して、集計情報記憶部２２に記憶させる。
【００４９】
図８に示すように、集計情報記憶部２２は、商品ＩＤごとに、第１の購入回数を購入回数（１）として記憶している。例えば、商品ＩＤ「Ｉ２１」の商品の第１の購入回数は８回である。
【００５０】
図８に示す操作情報取得回数及び第１の購入回数に基づいて、表示制御部１２は、操作情報取得回数に対する第１の購入回数の割合が所定の割合以上である商品の商品オブジェクトを、その商品の商品ページへのリンクを関連付けて表示させることとしてもよい。例えば、所定の割合が７０％であるとすると、商品ＩＤ「Ｉ２１」の商品の操作情報取得回数及び第１の購入回数はそれぞれ、１０回及び８回であって、操作情報取得回数に対する第１の購入回数の割合が８０％であり、所定の割合である７０％以上であるので、表示制御部１２は、商品オブジェクトＯ２１を、商品ＩＤ「Ｉ２１」の商品の商品ページへのリンクを関連付けて表示させる。
【００５１】
操作情報取得回数に対する第１の購入回数の割合が大きい商品は、購入される蓋然性が高い商品であると考えられるので、そのような商品の商品オブジェクトに商品ページへのリンクを直接に関連付けることにより、ユーザにその商品の商品ページに速やかにアクセスさせることが可能となる。
【００５２】
また、表示制御部１２は、操作情報取得回数に対する第１の購入回数の割合が大きいものから降順に並べて、所定数の商品オブジェクトを表示欄に表示させることとしてもよい。図９は、端末ＴＵに表示された表示画面の例である画面例Ｒ４を示す図である。具体的には、商品ＩＤ「Ｉ２１」，「Ｉ２２」，「Ｉ２３」，「Ｉ２４」〜「Ｉ２９」の商品の、操作情報取得回数に対する第１の購入回数の割合はそれぞれ、８０％（８／１０），５０％（１０／２０），７０％（２１／３０），７０％未満であるので（図８参照）、表示制御部１２は、図９に示すように、商品ＩＤ「Ｉ２１」，「Ｉ２２」，「Ｉ２３」の商品オブジェクトを、操作情報取得回数に対する第１の購入回数の降順に並べて、商品オブジェクトＯ２１，Ｏ２３，Ｏ２２の順に表示させる。このように商品オブジェクトを表示させることにより、購入する蓋然性が高い商品をユーザに認識させやすくすることができる。
【００５３】
また、購入回数取得部１４は、商品一覧ページに対する閲覧を経て商品が購入された回数である第２の購入回数を商品毎に集計する。具体的には、購入回数取得部１４は、例えば図７に示される商品一覧ページＲ３が端末ＴＵにおいて表示された後に、商品が購入された回数を第２の購入回数として商品ごとに取得して、集計情報記憶部２２に記憶させる。図８に示すように、集計情報記憶部２２は、商品ＩＤごとに、第２の購入回数を購入回数（２）として記憶している。例えば、商品ＩＤ「Ｉ２９」の商品の第２の購入回数は２５回である。
【００５４】
このように記憶された第２の購入回数に基づいて、通知部１５は、商品オブジェクトが表示欄に表示されていない非表示商品のうち、第２の購入回数が、表示欄に商品オブジェクトが表示された商品より多い非表示商品がある場合に、当該非表示商品に関する情報を、非表示商品を販売する店舗の端末に通知することとしてもよい。
【００５５】
例えば、画面例Ｒ１の表示欄ＣＢに商品オブジェクトが表示されていない商品（商品ＩＤ「Ｉ２９」）の第２の購入回数は２５回であって、表示欄ＣＢに商品オブジェクトが表示されている商品（商品ＩＤ「Ｉ２１」，「Ｉ２２」，「Ｉ２３」）の第２の購入回数９回，１２回，２１回より多いので、通知部１５は、商品ＩＤ「Ｉ２９」の商品に関する情報を、店舗Ｂの端末ＴＭに通知する。
【００５６】
非表示商品であっても購入された回数が多い商品は、購入される蓋然性が高いにも関わらず、例えば当該商品をユーザに示すための商品画像等に問題がある等の理由により、商品オブジェクトが表示欄に表示されないような状況となっている可能性がある。非表示商品であっても購入された回数が多い商品の存在が店舗に通知されることにより、店舗は、当該商品の販売に関する何らかの対策を実施することが可能となる。
【００５７】
再び図２を参照して、検出部１６は、検索された商品のうち一の店舗により提供された複数の商品の数が所定数を超える場合に、所定操作により複数の商品の全ての商品オブジェクトが端末において閲覧されたことを検出する部分である。
【００５８】
具体的には、例えば、図５に示すように、端末ＴＵにおいて、検索された店舗Ｂの商品の数が商品オブジェクトを表示させる所定数３を超えており、検索された９つの商品（商品ＩＤ「Ｉ２１」〜「Ｉ２９」）のうちの、３つの商品（商品ＩＤ「Ｉ２１」、「Ｉ２２」、「Ｉ２３」）の商品オブジェクトＯ２１，Ｏ２２，Ｏ２３が表示欄ＣＢに表示されている場合において、検出部１６は、表示欄ＣＢの表示内容をスクロールさせて非表示の商品を表示させるためのオブジェクトＯＸが操作されて、検索された店舗Ｂの全ての商品が閲覧されたことを検出する。なお、非表示の商品を表示させるための所定操作は、スクロールに限定されない。
【００５９】
検出部１６により、検索された店舗Ｂの全ての商品が閲覧されたことが検出された場合に、表示制御部１２は、商品（商品ＩＤ「Ｉ２１」〜「Ｉ２９」）の一覧を表した商品一覧ページＲ３へのリンクを店舗Ｂの表示欄ＣＢに関連付けることに代えて、商品オブジェクトＯ２１，Ｏ２２，Ｏ２３の各々に、それぞれの商品の商品ページへのリンクを関連付けることとしてもよい。
【００６０】
スクロール操作等により、一の店舗の商品の全ての商品オブジェクトが端末において閲覧されたことが検出された場合には、ユーザが、検索された一の店舗の商品の全てを認識できたこととなる。そのような場合に、一の店舗の商品の商品オブジェクトに商品ページへのリンクが直接に関連付けられるので、ユーザにその商品の商品ページに速やかにアクセスさせることが可能となる。
【００６１】
次に、図１０を参照して、本実施形態の表示制御装置１の動作について説明する。図１０は、表示制御装置１において実施される表示制御方法の処理内容を示すフローチャートである。
【００６２】
まず、取得部１１は、端末ＴＵから検索条件を取得する（Ｓ１）。続いて、取得部１１は、商品情報記憶部２１を参照して、検索条件に基づく商品の検索を行う（Ｓ２）。そして、取得部１１は、検索した商品に関する情報を取得する（Ｓ３）。
【００６３】
次に、表示制御部１２は、取得部１１により取得された、商品に関する情報に基づいて、検索された商品を表す商品オブジェクトを端末ＴＵに表示させる（Ｓ４）。なお、表示制御部１２は、店舗ごとに同じ大きさで設けられた表示欄に、所定数を上限として店舗ごとに商品オブジェクトを表示させる。また、表示制御部１２は、検索された商品のうち一の店舗により提供された商品の数が所定数を超える場合に、検索された一の店舗の商品の数が所定数を超えることを示すオブジェクトを所定数の商品オブジェクトと併せて当該店舗の表示欄に表示させる。
【００６４】
次に、図１１及び図１２を参照して、本発明の他の実施形態を説明する。図１１は、他の実施形態に係る表示制御装置１Ａの機能的構成を示すブロック図である。表示制御装置１Ａは、機能的には、取得部１１、表示制御部１２、操作情報取得部１３、購入回数取得部１４、通知部１５及び送信部１７（送信手段）を備える。表示制御装置１Ａにおける取得部１１、表示制御部１２、操作情報取得部１３、購入回数取得部１４及び通知部１５の機能は、図２に示した表示制御装置１の各機能部と同様である。また、図１１に示した商品情報記憶部２１及び集計情報記憶部２２の構成は、図２に示した各記憶部の構成と同様である。
【００６５】
送信部１７は、端末ＴＵに表示制御処理における各機能を実現させるための表示制御プログラムをユーザの端末ＴＵに送信する部分である。図１２は、表示制御プログラムｐ１を示す図である。
【００６６】
表示制御プログラムｐ１は、メインモジュールｍ３０、指定モジュールｍ３１、受信モジュールｍ３２、表示モジュールｍ３３及び検出モジュールｍ３４、を含む。なお、表示制御プログラムｐ１は、図１２に示すように、非一時的な記憶媒体ｄ１に構成されることとしてもよい。
【００６７】
メインモジュールｍ３０は、表示制御処理を統括的に制御するモジュールである。指定モジュールｍ３１は、端末ＴＵのユーザにより指定された検索条件を表示制御装置１Ａに送信する機能を実現させる。
【００６８】
受信モジュールｍ３２は、検索条件に基づき表示制御装置１Ａにおいて検索された商品に関する情報を検索結果として受信する機能を実現させる。
【００６９】
表示モジュールｍ３３は、受信モジュールｍ３２により受信された情報に基づいて、検索された商品を表す商品オブジェクトを、端末ＴＵの表示手段に表示させる機能を実現させる。商品オブジェクトは、例えば図５に示すように、商品を提供する店舗ごとに同じ大きさで設けられた表示欄（例えば、表示欄ＣＡ，ＣＢ）に所定数を上限として店舗ごとに表示される。
【００７０】
また、表示モジュールｍ３３は、検索された商品のうち一の店舗により提供された商品の数が所定数以下の場合に、商品に関する商品情報が表された商品ページへのリンクが関連付けられた商品オブジェクト（例えば、商品オブジェクトＯ１１，Ｏ１２）を表示させる。
【００７１】
一方、表示モジュールｍ３３は、検索された商品のうち一の店舗により提供された商品の数が所定数を超える場合に、検索された一の店舗の商品の数が所定数を超えることを示すオブジェクト（例えば図５におけるオブジェクトＯＸ）を所定数の商品オブジェクト（例えば、商品オブジェクトＯ２１，Ｏ２２，Ｏ２３）と併せて当該一の店舗の表示欄に表示させる。さらに、表示モジュールｍ３３は、検索された商品のうち一の店舗により提供された商品の数が所定数を超える場合に、検索対象範囲を当該一の店舗により提供された商品として検索された商品の一覧を表した商品一覧ページ（例えば、図７の商品一覧ページＲ３）へのリンクを一の店舗の表示欄の少なくとも一部に関連付ける。
【００７２】
検出モジュールｍ３４は、検索された商品のうち一の店舗により提供された複数の商品の数が所定数を超える場合に、所定操作により複数の商品の全ての商品オブジェクトが閲覧されたことを検出する機能を実現させる。具体的には、検出モジュールｍ３４は、例えば図５に示すような画面例Ｒ１が端末ＴＵの表示手段に表示されている場合において、表示欄ＣＢの表示内容をスクロールさせて非表示の商品を表示させるためのオブジェクトＯＸが操作されて、検索された店舗Ｂの全ての商品が閲覧されたことを検出する。なお、非表示の商品を表示させるための所定操作は、スクロールに限定されない。
【００７３】
検出モジュールｍ３４により、検索された店舗Ｂの全ての商品が閲覧されたことが検出された場合に、表示モジュールｍ３３は、商品（例えば商品ＩＤ「Ｉ２１」〜「Ｉ２９」の商品）の一覧を表した商品一覧ページＲ３へのリンクを店舗Ｂの表示欄ＣＢに関連付けることに代えて、商品オブジェクトＯ２１，Ｏ２２，Ｏ２３の各々に、それぞれの商品の商品ページへのリンクを関連付ける。
【００７４】
スクロール操作等により、一の店舗の商品の全ての商品オブジェクトが端末ＴＵにおいて閲覧されたことが検出された場合には、ユーザが、検索された一の店舗の商品の全てを認識できたこととなる。そのような場合に、一の店舗の商品の商品オブジェクトに商品ページへのリンクが直接に関連付けられるので、ユーザにその商品の商品ページに速やかにアクセスさせることが可能となる。また、商品オブジェクトに対する商品ページへのリンクの関連付けを実現させる処理は、端末ＴＵにおいて実行される表示制御プログラムｐ１により実現されるので、表示制御装置１Ａにおける処理負荷が軽減される。また、表示制御装置１Ａとの通信が発生しないので、商品オブジェクトに対する商品ページへのリンクの関連付けが速やかに実現されると共に通信トラフィックの減少を図ることができる。
【００７５】
以上説明した本実施形態の表示制御装置１，１Ａ、表示制御方法及び表示制御プログラムｐ１によれば、検索された商品を表す商品オブジェクトが商品を提供する店舗毎に同じ大きさで設けられた表示欄に所定数を上限として表示されるので、店舗毎の表示欄に不均衡が生じることを防止できる。また、一の店舗の検索された商品の数が所定数を超える場合であっても、その旨が表示されるので、表示される商品オブジェクトの数を所定数に限ることとしても、当該一の店舗の検索された商品に関する情報が適切に示される。
【００７６】
以上、本発明をその実施形態に基づいて詳細に説明した。しかし、本発明は上記実施形態に限定されるものではない。本発明は、その要旨を逸脱しない範囲で様々な変形が可能である。本実施形態では、電子商取引サイト等において店舗により提供される商品の検索結果の表示を例示したが、本発明は、この例には限定されない。本発明は、例えば、旅行プラン及びゴルフのプランを提供する電子商取引サイトにおける検索結果の表示にも適用できる。
【符号の説明】
【００７７】
１，１Ａ…表示制御装置、１１…取得部、１２…表示制御部、１３…操作情報取得部、１４…購入回数取得部、１５…通知部、１６…検出部、１７…送信部、２１…商品情報記憶部、２２…集計情報記憶部、ｄ１…記憶媒体、ｍ３０…メインモジュール、ｍ３１…指定モジュール、ｍ３２…受信モジュール、ｍ３３…表示モジュール、ｍ３４…検出モジュール、Ｎ…ネットワーク、ｐ１…表示制御プログラム、ＴＵ，ＴＭ…端末。
【要約】
表示制御装置は、端末において指定された検索条件に基づき検索された複数の商品に関する情報を取得する取得手段と、取得手段により取得された情報に基づいて、検索された商品を表す商品オブジェクトを端末に表示させる表示制御手段であって、商品オブジェクトは商品の提供者ごとに同じ大きさで設けられた表示欄に所定数を上限として提供者ごとに表示され、検索された商品のうち一の提供者により提供された商品の数が所定数を超える場合に、検索された一の提供者の商品の数が所定数を超えることを示すオブジェクトを所定数の商品オブジェクトと併せて当該一の提供者の表示欄に表示させる、表示制御手段と、を備える。【図１】
0005987125.tif 000002
【図２】
0005987125.tif 000003
【図３】
0005987125.tif 000004
【図４】
0005987125.tif 000005
【図５】
0005987125.tif 000006
【図６】
0005987125.tif 000007
【図７】
0005987125.tif 000008
【図８】
0005987125.tif 000009
【図９】
0005987125.tif 000010
【図１０】
0005987125.tif 000011
【図１１】
0005987125.tif 000012
【図１２】
0005987125.tif 000013